(57)【要約】【課題】製造工程を単純化することで製造コストを削減し、製造時間を短縮して生産効率を向上するとともに、歯付ベルトの幅方向へのブレを押えて安定した回転運動の伝達を可能とし、流体音や破裂音の発生や噛み合い音を軽減し、騒音を低減する歯付ベルト用プーリを提供すること。【解決手段】内周を回転軸１０４に嵌着されるとともに外周に歯付ベルト１１０に係合される歯１０１を有し両側部の外方にフランジ１５０が立設されたディスク体１０５からなる歯付ベルト用プーリ１００において、フランジ１５０が回転軸方向に貫通する複数の貫通孔１５１を有すること。【選択図】図１
2010101395.tif 000002
【特許請求の範囲】
【請求項１】
内周を回転軸に嵌着されるとともに外周に歯付ベルトに係合される歯と該歯付ベルトの両側部の外方に立設されるフランジとを有するディスク体からなる歯付ベルト用プーリにおいて、
前記フランジが、前記回転軸方向に貫通する複数の貫通孔を有することを特徴とする歯付ベルト用プーリ。
【請求項２】
前記複数の貫通孔が、前記ディスク体の歯の歯先に対応する位置に設けられていることを特徴とする請求項１に記載の歯付ベルト用プーリ。
【請求項３】
前記複数の貫通孔が、前記ディスク体両側部の各々のフランジで異なる歯の歯先に対応する位置に設けられていることを特徴とする請求項２に記載の歯付ベルト用プーリ。
【請求項４】
前記複数の貫通孔が、異なる大きさ、または、異なる形状で設けられていることを特徴とする請求項１に記載の歯付ベルト用プーリ。
【請求項５】
前記ディスク体が、前記回転軸方向に複数に分割されて構成されるとともに、
該複数のディスク体が、前記回転軸方向に間隙を設けて嵌着されていることを特徴とする請求項１乃至請求項４のいずれかに記載の歯付ベルト用プーリ。
【請求項６】
前記複数のディスク体が、前記間隙を規定する間隙保持体を挟んで前記回転軸に嵌合されていることを特徴とする請求項５に記載の歯付ベルト用プーリ。
【請求項７】
前記間隙保持体が、内周を前記回転軸に嵌合されるとともに、外周を非円形に形成されていることを特徴とする請求項６に記載の歯付ベルト用プーリ。
【発明の詳細な説明】
【技術分野】
【０００１】
本発明は、歯付ベルトに係合して回転運動を伝達する歯付ベルト用プーリに関するものである。
【背景技術】
【０００２】
従来、外周に歯付ベルトに係合される歯と該歯付ベルトの両側部の外方に立設されるフランジとを有する歯付ベルト用プーリが周知である。
周知の歯付ベルト用プーリ５００は、図６に示すように、歯付ベルトと噛み合う歯５０１の両側方にフランジ５５０が立設されており、フランジ５５０によって歯付ベルトの幅方向へのブレを押えることができ、安定した回転運動の伝達が可能となる一方、歯付ベルト用プーリ５００が歯付ベルトと噛み合う際に圧縮された空気の排出される経路が歯付ベルトの側部とフランジ５５０の間のわずかな隙間のみとなり、流体音や破裂音が非常に大きいという問題があった。
【０００３】
また、歯付ベルト用プーリが歯付ベルトと噛み合う前に空気を逃がし、圧縮された空気が隙間から漏れる際の流体音や破裂音の発生を軽減し、騒音を低減する歯付ベルト用プーリが公知である。
【０００４】
この公知の歯付ベルト用プーリ６００は、図７乃至図９に示すように、歯付ベルト６１０と噛み合う歯６０１に円周方向の切込み部６０２を形成し、該歯付ベルト用プーリ６００が歯付ベルト６１０と噛み合う前に切込み部６０２から歯底部６０３方向に空気を逃がすことで、圧縮された空気が歯付ベルト６１０と噛み合う歯６０１の隙間から歯付ベルト用プーリ６００の左右に漏れることによる流体音や破裂音の発生を軽減し、騒音を低減している（特許文献２参照。）。
【特許文献１】特開２００１−２７６９３９号（第４頁、図３）
【特許文献２】実願昭６０−１７８３０３号（実開昭６２−８７２５１号公報）のマイクロフィルム（第３−５頁、図１乃至図３）
【発明の開示】
【発明が解決しようとする課題】
【０００５】
前記周知の歯付ベルト用プーリ５００の流体音や破裂音が非常に大きいという問題を軽減するため、公知の歯付ベルト用プーリ６００のように、歯６０１に円周方向の切込み部６０２を形成することが考えられるが、公知の歯付ベルト用プーリ６００は、歯６０１に円周方向の切込み部６０２を切削加工等により形成する必要があるため、製造工程が増加することで製造コストが高騰するとともに、製造時間が長くなり生産効率が低下するという問題があった。
【０００６】
また、切込み部６０２の深さは歯６０１の高さが限度となるため、逃せる空気の量には限界があるとともに、当該切込み部６０２を流れる流体音や破裂音も発生するため、騒音の低減効果は低いという問題があった。
【０００７】
本発明は、前述したような従来技術の問題を解決するものであって、すなわち、本発明の目的は、製造工程を単純化することで製造コストを削減し、製造時間を短縮して生産効率を向上するとともに、歯付ベルトの幅方向へのブレを押えて安定した回転運動の伝達を可能とし、流体音や破裂音の発生や噛み合い音を軽減し、騒音を低減する歯付ベルト用プーリを提供することである。
【課題を解決するための手段】
【０００８】
本請求項１に係る発明は、内周を回転軸に嵌着されるとともに外周に歯付ベルトに係合される歯と該歯付ベルトの両側部の外方に立設されるフランジとを有するディスク体からなる歯付ベルト用プーリにおいて、前記フランジが、前記回転軸方向に貫通する複数の貫通孔を有することにより、前記課題を解決するものである。
【０００９】
本請求項２に係る発明は、請求項１に記載された歯付ベルト用プーリの構成に加えて、前記複数の貫通孔が、前記ディスク体の歯の歯先に対応する位置に設けられていることにより、前記課題をさらに解決するものである。
【００１０】
本請求項３に係る発明は、請求項２に記載された歯付ベルト用プーリの構成に加えて、前記複数の貫通孔が、前記ディスク体両側部の各々のフランジで異なる歯の歯先に対応する位置に設けられていることにより、前記課題をさらに解決するものである。
【００１１】
本請求項４に係る発明は、請求項１に記載された歯付ベルト用プーリの構成に加えて、前記複数の貫通孔が、異なる大きさ、または、異なる形状で設けられていることにより、前記課題をさらに解決するものである。
【００１２】
本請求項５に係る発明は、請求項１乃至請求項４のいずれかに記載された歯付ベルト用プーリの構成に加えて、前記ディスク体が、前記回転軸方向に複数に分割されて構成されるとともに、該複数のディスク体が、前記回転軸方向に間隙を設けて嵌着されていることにより、前記課題をさらに解決するものである。
【００１３】
本請求項６に係る発明は、請求項５に記載された歯付ベルト用プーリの構成に加えて、前記複数のディスク体が、前記間隙を規定する間隙保持体を挟んで前記回転軸に嵌合されていることにより、前記課題をさらに解決するものである。
【００１４】
本請求項７に係る発明は、請求項６に記載された歯付ベルト用プーリの構成に加えて、前記間隙保持体が、内周を前記回転軸に嵌合されるとともに、外周を非円形に形成されていることにより、前記課題をさらに解決するものである。
【発明の効果】
【００１５】
本請求項１に係る発明の歯付ベルト用プーリは、内周を回転軸に嵌着されるとともに外周に歯付ベルトに係合される歯と該歯付ベルトの両側部の外方に立設されるフランジとを有するディスク体からなる歯付ベルト用プーリにおいて、フランジが前記回転軸方向に貫通する複数の貫通孔を有することにより、フランジによって歯付ベルトの幅方向へのブレを押えることができるため、安定した回転運動の伝達が可能となるとともに、歯付ベルト用プーリが歯付ベルトと噛み合う際に圧縮された空気が貫通孔から排出されるため、圧縮された空気が隙間から漏れる際の流体音や破裂音の発生を軽減しつつ、フランジに孔加工するだけで良いため、製造工程が単純化されて製造コストが削減され、製造時間が短縮されて生産効率を向上する。
【００１６】
また、本請求項２に係る発明の歯付ベルト用プーリは、請求項１に係る歯付ベルト用プーリが奏する効果に加えて、複数の貫通孔がディスク体の歯の歯先に対応する位置に設けられていることにより、歯付ベルト用プーリが歯付ベルトと噛み合う際に空気が最も圧縮される部分に貫通孔が位置するため、さらに圧縮された空気を多く排出することができ、流体音や破裂音の発生を軽減される。
【００１７】
また、本請求項３に係る発明の歯付ベルト用プーリは、請求項２に係る歯付ベルト用プーリが奏する効果に加えて、ディスク体両側部の各々のフランジで異なる歯の歯先に対応する位置に設けられていることにより、加工すべき貫通孔の数を減らすことができるため、歯付ベルト用プーリが歯付ベルトと噛み合う際に空気が最も圧縮される部分に貫通孔が位置するため、さらに製造工程が単純化されて製造コストが削減され、製造時間が短縮されて生産効率を向上する。
【００１８】
また、本請求項４に係る発明の歯付ベルト用プーリは、請求項１に係る歯付ベルト用プーリが奏する効果に加えて、複数の貫通孔が異なる大きさ、または、異なる形状で設けられていることにより、軽減された流体音や破裂音の周波数成分を貫通孔ごとに変化させることができるため、高速回転時にトータルの発生音の周波数成分を分散させることによって、聴感上の騒音をさらに低減することができる。
【００１９】
本請求項５に係る発明の歯付ベルト用プーリは、請求項１乃至請求項４のいずれかに係る歯付ベルト用プーリが奏する効果に加えて、ディスク体が回転軸方向に複数に分割されて構成されるとともに、該複数のディスク体が回転軸方向に間隙を設けて嵌着されていることにより、歯付ベルト用プーリが歯付ベルトと噛み合う際に圧縮された空気を複数のディスク体に挟まれた空間にも逃がすことができるため、ベルト幅方向の空気の流れがさらに減少し、さらに流体音や破裂音の発生が防止され、騒音が低減されるとともに、複数のディスク体に何らの加工を施す必要もないため、製造工程が単純化されて製造コストが削減され、製造時間が短縮されて生産効率を向上することができる。
【００２０】
本請求項６に係る発明の歯付ベルト用プーリは、請求項５に係る歯付ベルト用プーリが奏する効果に加えて、複数のディスク体が間隙を規定する間隙保持体を挟んで回転軸に嵌合されていることにより、複数のディスク体を回転軸方向に間隙を設けて嵌着する組立工程が単純化されるため、さらに製造コストが削減され、製造時間が短縮されて生産効率を向上することができるとともに、複数のディスク体が移動して間隙が狭くなることがないため、さらに安定して流体音や破裂音の発生が防止され、騒音が低減される。
【００２１】
本請求項７に係る発明の歯付ベルト用プーリは、請求項６に係る歯付ベルト用プーリが奏する効果に加えて、間隙保持体が内周を回転軸に嵌合されるとともに、外周を非円形に形成されていることにより、複数のディスク体に挟まれた空間の半径方向の深さが周方向で変化することにより、大径部分で複数のディスク体を安定して平行に保つことができるとともに、小径部分で複数のディスク体に挟まれた空間の容量を確保して流体音や破裂音の発生が防止され、騒音が低減される。
【発明を実施するための最良の形態】
【００２２】
本発明は、内周を回転軸に嵌着されるとともに外周に歯付ベルトに係合される歯と該歯付ベルトの両側部の外方に立設されるフランジとを有するディスク体からなる歯付ベルト用プーリにおいて、フランジが前記回転軸方向に貫通する複数の貫通孔を有し、製造コストが削減され、製造時間が短縮されて生産効率を向上することができるとともに、歯付ベルトの幅方向へのブレが押えられて安定した回転運動の伝達が可能であって、かつ、流体音や破裂音の発生が防止され、騒音が低減される歯付ベルト用プーリを提供することができるという効果を奏するものであれば、その具体的な実施態様は如何なるものであっても何ら構わない。
【００２３】
すなわち、本発明の歯付ベルト用プーリのディスク体の材質は、鉄等の金属であっても良く、樹脂、セラミック等いかなる材質であっても良い。
また、フランジはディスク体と一体に形成されていても良く、ディスク体と別体に形成されたものを嵌着しても良く、両側のフランジの片方がフランジと一体で片方が別体のものを嵌着したものであっても良い。
【００２４】
本発明の歯付ベルト用プーリのフランジに設けられる貫通孔は、円形でも良く多角形でも良く、いかなる形状でも良い。
また、すべての孔が同一であっても良く、異なる大きさ・形状であっても良い。
さらに、貫通孔は両側のフランジともにすべての歯先に対応して設けられても良く、歯先ごとに片側のフランジにのみ設けられても良い。
【００２５】
本発明の歯付ベルト用プーリのディスク体にフランジを嵌着する場合は、圧入や焼き嵌め等の締まり嵌めにより嵌着されても良く、ボルトやナット等で固定されても良く、いかなる方法で嵌着されても良い。
【００２６】
本発明の歯付ベルト用プーリのディスク体は、複数に分割されている場合、２枚であっても良く、３枚以上であっても良い。
さらに、本発明の歯付ベルト用プーリの間隙保持体の材質は、鉄等の金属であっても良く、樹脂、セラミック、ゴム等いかなる材質であっても良い。
【００２７】
また、本発明の歯付ベルト用プーリのディスク体は、回転軸に対して、圧入や焼き嵌め等の締まり嵌めにより嵌着されても良く、ボルトやナット等で固定されても良く、いかなる方法で嵌着されても良い。また、キー溝やスプラインを用いても良い。
さらに、本発明の歯付ベルト用プーリの間隙保持体は、単にディスク体に挟まれて固定されるだけでも良く、ディスク体と同様に回転軸に対して嵌着されても良い。また、ディスク体とピンや凹凸等で回転係合されても良い。
【実施例】
【００２８】
以下に、本発明の実施例である歯付ベルト用プーリについて、図面に基づいて説明する。
図１は、本発明の実施例である歯付ベルト用プーリの使用形態の斜視図であり、図２は、本発明の歯付ベルト用プーリの第１実施例の正面図および断面図であり、図３は、本発明の歯付ベルト用プーリの第２実施例のフランジの拡大側面図であり、図４は、本発明の歯付ベルト用プーリの第３実施例のフランジの拡大側面図であり、図５は、本発明の歯付ベルト用プーリの第４実施例の正面図および断面図である。
【００２９】
本発明の実施例である歯付ベルト用プーリ１００は、図１に示すように、回転軸１０４に両側外周部にフランジ１５０を有するディスク体１０５が嵌着されており、歯付ベルト１１０がディスク体１０５の外周に設けられた歯１０１と係合することで回転運動が伝達される。
【００３０】
本発明の歯付ベルト用プーリ１００の第１実施例は、図１、図２に示すように、歯付ベルト１１０と噛み合う歯１０１を有するディスク体１０５の両側方に、それぞれ各歯１０１の歯先に対応する位置に回転軸１０４の軸方向に貫通する複数の貫通孔１５１が設けられたフランジ１５０が嵌着されており、該ディスク体１０５が回転軸１０４に嵌着されて構成されている。
【００３１】
フランジ１５０は歯付ベルト１１０の幅方向へのブレを押え、安定した回転運動の伝達を可能とするとともに、ディスク体１０５の歯１０１が歯付ベルト１１０と噛み合う際に圧縮された空気はフランジ１５０のディスク体１０５の歯１０１の歯先に対応する位置に設けられた貫通孔１５１から圧力と流速の増加を抑えながら排出されるため、ディスク体１０５の歯１０１と歯付ベルト１１０および歯付ベルト１１０とフランジ１５０の僅かな隙間から圧縮された空気が漏れる際の流体音や破裂音の発生を軽減することができる。
【００３２】
また、ディスク体１０５の歯１０１が歯付ベルト１１０と噛み合う際に圧縮される空気はディスク体１０５の歯１０１の歯先付近で最も圧縮されることとなるため、貫通孔１５１がフランジ１５０のディスク体１０５の歯１０１の歯先に対応する位置に設けられていることにより、より効果的に流体音や破裂音の発生を軽減することができる。
さらに、フランジ１５０に貫通孔１５１を加工するだけで良いため、製造工程が単純化されて製造コストが削減され、製造時間が短縮されて生産効率を向上することができる。
【００３３】
本発明の歯付ベルト用プーリ１００の第２実施例は、図３に示すように、両側部のフランジ１５０、２５０に設けられた貫通孔１５１、２５１が、ディスク体１０５の歯１０１の歯先に一つおきに対応する位置に配置されるように設けられ、両側部のフランジ１５０、２５０は貫通孔１５１、２５１がディスク体１０５の歯１０１の歯先に交互に対応するようにディスク体１０５に嵌着されており、他の構成は第１実施例と同様に構成されている。
【００３４】
このことにより、フランジ１５０、２５０に貫通孔１５１、２５１を加工する箇所を半分とすることが出来、さらに製造工程が単純化されて製造コストが削減され、製造時間が短縮されて生産効率を向上することができる。
【００３５】
本発明の歯付ベルト用プーリ１００の第３実施例は、図４に示すように、両側部のフランジ１５０に設けられた貫通孔１５１、１５２が、ディスク体１０５の歯１０１の歯先に一つおきに異なる孔径となるように設けられており、他の構成は第１実施例と同様に構成されている。
【００３６】
このことにより、ディスク体１０５の歯１０１が歯付ベルト１１０と噛み合う際に圧縮された空気が、貫通孔１５１から排出される際と貫通孔１５２から排出される際の排出音の周波数成分が異なることとなるため、高速回転時にトータルの発生音の周波数成分を分散させることによって、聴感上の騒音をさらに低減することができる。
【００３７】
本発明の歯付ベルト用プーリ１００の第４実施例は、図５に示すように、歯付ベルト１１０と噛み合う歯１０１を有するディスク体１０６、１０７が２枚で構成され、歯１０１の歯先に対応する位置に回転軸１０４の軸方向に貫通する複数の貫通孔１５１が設けられたフランジ１５０が、それぞれのディスク体１０６、１０７の外側方に嵌着されており、回転軸１０４に２枚のディスク体１０６、１０７が間隙１２０を確保するように間隙保持体１２１を挟んで嵌着されて構成されている。
【００３８】
該間隙１２０により構成される空間に歯付ベルト用プーリ１００の歯１０１が歯付ベルト１１０と噛み合う際に圧縮される空気の一部が、圧力と流速の増加を抑えながら逃がされるため、ベルト幅方向の空気の流れがさらに減少し、流体音や破裂音の発生が防止され、騒音が低減される。
【００３９】
また、間隙保持体１２１の外周形状が正方形に形成されており、間隙保持体１２１の外周形状の頂点が最大径部分となることで、２枚のディスク体１０６、１０７を安定して平行に保つことができるとともに、間隙１２０により構成される空間の容量を、同一の径を持つ外周形状が円形の間隙保持体を使用するものより大きくすることができるため、間隙１２０に構成される空間の容量を確保しつつ２枚のディスク体１０６、１０７を安定して平行に保つことができる。
【００４０】
また、間隙保持体１２１の外周形状が非円形であることにより、２枚のディスク体１０６、１０７の歯１０１が歯付ベルト１１０と噛み合う際に圧縮される空気が逃れて流入してくる間隙１２０に構成される空間の形状が噛み合う歯１０１ごとに異なるものとなるため、わずかに流体音や破裂音が発生してもその周波数成分を噛み合う歯１０１ごとに異なるものとすることができ、高速回転時にトータルの発生音の周波数成分を分散させることによって、聴感上の騒音をさらに低減することができる。
【００４１】
以上説明したように、本発明によれば、製造コストが削減され、製造時間が短縮されて生産効率を向上することができるとともに、歯付ベルトの幅方向へのブレが押えられて安定した回転運動の伝達が可能であって、かつ、流体音や破裂音の発生が防止され、騒音が低減される歯付ベルト用プーリを提供することができるなど、その効果は甚大である。
【００４２】
なお、本発明の歯付ベルト用プーリ１００の第４実施例は、２枚のディスク体１０６、１０７を有しているが、３枚以上のディスク体を有するものでも良い。
そして、本発明の歯付ベルト用プーリ１００が３枚以上のディスク体で構成される場合、すべてのディスク体に挟まれる間隙に間隙保持体を有しても良く、一部に間隙保持体を有しても良く、さらに間隙保持体を２枚以上有する場合、それぞれの間隙保持体が同一形状のものでも良く、異なる形状のものでも良い。
【００４３】
また、本発明の歯付ベルト用プーリ１００の第１実施例乃至第４実施例のディスク体１０５、１０６、１０７は単純な円盤状であるが、歯１０１を有する外周付近および回転軸１０４に嵌着される内周付近のみを広幅として径方向中間部分を薄くしたものでも良く、径方向中間部分に軸方向の肉抜き部分を設けたものであっても良い。
【図面の簡単な説明】
【００４４】
【図１】本発明の実施例である歯付ベルト用プーリの使用形態の斜視図。
【図２】本発明の歯付ベルト用プーリの第１実施例の正面図および断面図。
【図３】本発明の歯付ベルト用プーリの第２実施例のフランジの拡大側面図。
【図４】本発明の歯付ベルト用プーリの第３実施例のフランジの拡大側面図。
【図５】本発明の歯付ベルト用プーリの第４実施例の正面図および断面図。
【図６】従来の歯付ベルト用プーリの斜視図。
【図７】従来の他の歯付ベルト用プーリの使用形態の側面図。
【図８】従来の他の歯付ベルト用プーリの正面図。
【図９】従来の他の歯付ベルト用プーリの断面図。
【符号の説明】
【００４５】
１００、５００、６００  ・・・歯付ベルト用プーリ
１０１、５０１、６０１  ・・・歯
６０２  ・・・切込み部
６０３  ・・・歯底部
１０４                  ・・・回転軸
１０５                  ・・・ディスク体
１０６                  ・・・ディスク体
１０７                  ・・・ディスク体
１１０、        ６１０  ・・・歯付ベルト
１２０                  ・・・間隙
１２１                  ・・・間隔保持体
１５０、５５０          ・・・フランジ
１５１                  ・・・貫通孔
１５２                  ・・・貫通孔
１５１                  ・・・貫通孔
２５０                  ・・・フランジ
２５１                  ・・・貫通孔
【図１】
2010101395.tif 000003
【図２】
2010101395.tif 000004
【図３】
2010101395.tif 000005
【図４】
2010101395.tif 000006
【図５】
2010101395.tif 000007
【図６】
2010101395.tif 000008
【図７】
2010101395.tif 000009
【図８】
2010101395.tif 000010
【図９】
2010101395.tif 000011